(57)【要約】コンプレッサ、ポンプ、モータ計測機器または内燃エンジンとして動作するようになされたロータリー装置は、２つの同様の羽根、２つの中空円筒形スリーブ、中空円筒形ライナー、カムおよび関連した連係部、結合部、シャフト、クラッチ、ブレーキ／固定装置を備える。かかる羽根部で、それぞれのスリーブに１枚ずつ羽根がスリーブの湾曲面上に取り付けられ、羽根は各スリーブの端部の一方に、スリーブの局面に対して放射状に伸び、これにより羽根面はスリーブ端部から突出する。かかるスリーブは羽根を取り付けられた端部が、角度をつけられた羽根に隣接して、配置されるように設置される。かかる羽根部は、１つの線上にくるように配置がなされる。かかるライナーの内面はかかる軸を中心に回転しながら、羽根端部により掃引された経路に沿って輪郭がつけられている。かかる内面はかかる軸の周りの回転を可能にする。かかる羽根はライナー内部に形成されたエンクロージャを２つの封止されたチャンバに分割する。エンクロージャ。かかる２つのスリーブは、カム又は他のタイミング装置により動作される連結装置手段によりシャフトに連結されたり、連結から解かれたりする。かかるカム又は他のタイミング装置はスリーブ上に配置される。かかるカム又は他のタイミング装置は、それぞれの羽根があらかじめ決められた位置に交互に配置されるとともに、この羽根部が遊離されて画定された角度を介して交互に回転するように、ブレーキ／固定装置を始動する。かかるカム又は他のタイミング装置により両方の羽根は、画定された角度を介して同時に回転することができるとともに、羽根が分離されて同時にまたは単独で回転する角度を画定することができる。
2006515397.tif 000002
【特許請求の範囲】
【請求項１】
コンプレッサ、ポンプ、モータ計測機器または内燃エンジンとして動作するようになされたロータリー装置であって、
前記装置は、２つの羽根部、２つの中空円筒形スリーブ、中空円筒形ライナー、カムおよび関連した連係部、結合部、シャフト、クラッチ、ブレーキ／固定装置を備え、
前記羽根部はスリーブの湾曲面上に、各スリーブに１つずつ、羽根部が各スリーブの端部の一方に、スリーブの湾曲面に対して放射状に伸びるように羽根が取り付けられ、
前記羽根部は羽根部の表面がスリーブ端部から突出するように取り付けられ、
前記スリーブは羽根部に取り付けられた端部が、角度的に配置された羽根部に隣接して、前記羽根部は常時画定された角度により互いに配置され、
前記スリーブは、その端部表面の中央を通過する軸が１つの線上にくるように配置がなされ、
羽根部がスリーブ上に取り付けられた前記表面は、隣接する羽根部およびスリーブ取付部が前記軸を中心に回転することができるようになされ、
前記ライナーはスリーブ面とともにエンクロージャを形成し、前記ライナーの内面は前記軸を中心に回転しながら、羽根端部により掃引された経路に沿って輪郭がつけられて、
前記内面により羽根部は前記軸を中心に回転が可能となり、
前記羽根はライナー内部に形成された前記エンクロージャを、２つの封止されたチャンバに分割し、
前記２つのスリーブは、カムまたは他の計時装置により動作される連結装置手段によりシャフトに連結されたり、連結から解かれたりし、
前記カムまたは計時装置はスリーブ位置に依存し、
前記カムまたは計時装置は、各羽根部があらかじめ決められた位置に交互に配置されるとともに、かかる羽根部が遊離されて画定された角度を介して交互に回転するように、前記ブレーキ／固定装置を作動し、
前記カムまたは計時装置により、羽根部が両方ともあらかじめ画定された角度を介して同時に回転することができ、
前記カムまたは計時装置は、完全明細書で述べられたパターンで羽根部が分離されて、同時にまたは単独で回転する角度を画定するロータリー装置。
【請求項２】
羽根部がきつく嵌合されているために１つの羽根部の面のみがスリーブ端部より突出することを特徴とする請求項１に記載のロータリー装置。
【請求項３】
前記シャフトはスリーブの外側にあるためスリーブは中空ではないことを特徴とする請求項１に記載のロータリー装置。
【請求項４】
前記スリーブはギア装置を介して連結装置により駆動されたり、あるいはギア装置を介して連結装置によりシャフトを駆動したりすることを特徴とする請求項１に記載のロータリー装置。
【請求項５】
互いに隣接するスリーブ端部表面部は、実際に起こりうる漏れ流を阻止するために前記端部表面を囲む連続的な密閉ラインを形成する密閉要素を備えて設けられることを特徴とする請求項１に記載のロータリー装置。
【請求項６】
前記羽根部は、実際に起こりうる羽根端部およびライナー内面にわたる流体の漏れ流を阻止するために密閉要素を備えて設けられることを特徴とする請求項１に記載のロータリー装置。
【請求項７】
密閉装置はライナーおよびスリーブ境界面に配置されて、実際に起こりうる前記ライナーおよびスリーブ境界面にわたる流体の漏れ流を阻止することを特徴とする請求項１に記載のロータリー装置。
【請求項８】
前記ライナーおよび羽根部内部に形成される前記エンクロージャは、エンクロージャ外部の空間に連通されるとともに密閉されることを特徴とする請求項１に記載のロータリー装置。
【請求項９】
弁のような連通装置または流量制御装置は、かかる装置がコンプレッサ、モータ、ポンプ、計測機器として用いられるように配置され、動作され、計時されることを特徴とする請求項８に記載のロータリー装置。
【請求項１０】
ライナーにより形成された前記エンクロージャ外部と羽根部との間の空間で、熱および、または他の態様のエネルギーを加えたり除いたりするための手段が設けられたことを特徴とする請求項８に記載のロータリー装置。
【請求項１１】
装置が内燃エンジンのように原動力として用いられるように連通装置および、またはエネルギーを加えたり除いたりするための手段が、配置され、動作され、計時されることを特徴とする請求項１０に記載のロータリー装置。
【請求項１２】
添付図面の諸図を参照にしながら本願明細書で実質的に説明されたロータリー装置。
【発明の詳細な説明】
【技術分野】
【０００１】
本発明は一般に、コンプレッサ、ポンプ、モータ計測機器または内燃エンジン、として動作するようになされたロータリー装置に関し、特に径向き羽根型ロータリー流体処理器は、２枚のスリーブ部が互いに対して独立するように取り付けられ、これら羽根間の相対的な運動を用いて熱力学ガスサイクルを達成することを特徴とする、径向き羽根型ロータリー流体処理器に関する。
【発明の目的】
【０００２】
本発明の目的は、本願明細書に記述される部分を用いてコンプレッサその他に見られる従来の内部圧縮エンジンのような典型的なガスサイクルを達成することである。さらに装置内のこれらの部品とその配置は、一組のカム従動節、時間計測器の動きにより、その動作中に異なったガスサイクルを達成することができる。
【発明の開示】
【０００３】
コンプレッサ、ポンプ、モータ計測機器または内燃エンジンとして動作するようになされたロータリー装置は、２つの同様の羽根、２つの中空円筒形スリーブ、中空円筒形ライナー、カムおよび関連した連係部、結合部、シャフト、クラッチ、ブレーキ装置を備える。かかる羽根部で、それぞれのスリーブに１枚ずつ羽根がスリーブの湾曲面上に取り付けられる。羽根は各スリーブの端部の一方に、スリーブの局面に対して放射状に伸び、これにより羽根面の半分はスリーブ端部から突出し、羽根を取り付けられた端部は、角度をつけられた羽根に隣接して、これゆえに羽根部は常時画定した角度により互いに配置される。スリーブは、その端部表面の中央を通過する軸が１つの線上にくるように配置がなされる。羽根がスリーブ上に取り付けられる曲線表面により、隣接する羽根およびスリーブがこの軸を中心に回転することができる。ライナーが設けられているが、このライナーはエンクロージャとともにスリーブ面を形成する。ライナーの内面は軸を中心に回転しながら、羽根端部により掃引された経路に沿って輪郭がつけられている。羽根はライナー内部に形成されたエンクロージャを２つの封止されたチャンバに分割する。エンクロージャはエンクロージャ外部の空間から封止されている。かかる２つのスリーブは、カムにより動作される連結装置手段によりシャフトに連結されたり、連結から開放されたりする。かかるカムはスリーブ上に配置されてスリーブにより駆動される。かかるカムは、それぞれの羽根があらかじめ決められた位置に交互に配置されるとともに、この羽根部が遊離されて画定された角度を介して交互に回転するように、ブレーキ装置を始動する。かかるカムにより両方の羽根は、画定された角度を介して同時に回転することができるとともに、羽根が分離されて同時にまたは単独で回転する角度を画定することができる。
【発明を実施するための最良の形態】
【０００４】
まず部品類およびその配置と機能について記述を行い、簡略化された幾何学図を参照に図説を行なって、理解を容易にするようにした。後者の機械の部品類については詳細に説明を行なう。
【０００５】
基本となる部分は１スリーブ、２ライナー、３羽根、４カム、５結合部である。
【０００６】
スリーブ
スリーブは２個あり、中空シリンダの外径「ｄ」、長さ「L」、厚み「ｔ」によりこのスリーブを示す。以降、本願明細書においてこの２つのスリーブはＳ１およびＳ２とする。図１にスリーブを示す。
【０００７】
ライナー
環状カバープレートカバープレートを両端部に有する、内径「Ｄ」、長さ「Ｌ」、厚み「Ｔ」である中空シリンダにより、ライナーが図示されている。カバープレートは径「ｄ」の孔を有する。（孔径はスリーブの外径のためＡＭＥ値である）図２にはライナーを示す。
【０００８】
羽根
羽根は２つあり、羽根は長さ「Ｌ」および幅「ｒ」の、ｒ=（Ｄ-ｄ／２となる矩形面により示される。以降、本願明細書においてこの２つの羽根は図３で示されるようにＶ１およびＶ２とする。
【０００９】
Ｖ１、Ｖ２の（長さ「Ｌ」の）一端部の半分の長さ方向はＳ１、Ｓ２上にそれぞれしっかりと固定されており、このため、
ａ）Ｖ１、Ｖ２の表面部の面はＳ１、Ｓ２に対して輻射状である。
ｂ）Ｖ１、Ｖ２はＳ１、Ｓ２の２つの端部のうちの１つに取り付けられている。
ｃ）固定端部の半分の長さ方向部はスリーブ端部の外側に突出している。
【００１０】
Ｖ１、Ｓ１の架装取付部は本願明細書においてＶＳ１とする。Ｖ２、Ｓ２の架装取付部は本願明細書においてＶＳ２とする。図４に羽根およびスリーブ架装取付部を示す。
【００１１】
ＶＳ１およびＶＳ２は以下のようにライナーに取り付けられている
ａ）Ｖ１およびＶ２はライナー内部に位置する。
ｂ）２つの羽根部の３つの端部（スリーブにしっかりと固定された１つ以外）はライナーの内面に接触する。
ｃ）羽根端部の半分の長さ（スリーブ端部から突出する部分）は対向するスリーブの外部曲線表面に接触する。
ｄ）スリーブの端部表面によりライナー内部が互いに接触する。
ｅ）両スリーブの長（１-Ｌ／２）はライナーの端部カバープレート孔から突出する。
ｆ）ライナーＳ１およびＳ２の環状端部中央部を通過する軸は同一直線上にある。以降、本願明細書においてこの軸を中心軸とする。
【００１２】
図５は、ライナー、羽根、スリーブ架装取付部を等角投影した直線図を示す。
【００１３】
ＶＳ１およびＶＳ２はライナーの内部の空間を２つの部分に分ける。これにより仮定されることは、
ａ）これらの２つの空間は互いに隔絶されるとともに、スリーブの環状空間を隔絶するものであるため、羽根部側から流体が漏れることがなく、スリーブの端部表面を介して漏れることもなく、ライナー内部で互いに接触する。
ｂ）ライナー内部の空間は、ライナー外部の空間から隔絶されている。
【００１４】
本願明細書において羽根部の右側（時計回りの側）上の空間は羽根上の空間と示し、同様に、羽根部の左側（反時計回りの側）上の空間は羽根下の空間と示すものとする。
【００１５】
図６は、ライナー、（動径方向の線により示された羽根を有する）ＶＳ１、ＶＳ２架装取付部の側面を示す簡略直線図である。
【００１６】
図６に示されるような羽根を有するライナーの側面を示す簡略直線図を参照にしながら、本願装置の種々の部品の機能を以下に説明する。
【００１７】
初期位置
初期においてはＶ１、Ｖ２は２つのアルファ度により以下のように配置される。
ａ）Ｖ１、Ｖ２が垂直面の両側上にある。
ｂ）垂直面はＶ１、Ｖ２との間の包括的な角度を２分割する。
【００１８】
本願明細書においてＶ１の初期位置は位置Ｘとするとともに、Ｖ２の初期位置は「位置Ｙ」とする。図７にこれらを図示する。
【００１９】
ＶＳ１はその中心軸の周りを時計方向に回転する。
【００２０】
これによりＶ１の前の空間の大きさを減少させることになるとともにＶ１の後ろの空間の大きさを増加させることになり、このようにしてこの空間にある気体は全てそれぞれ圧縮されるか、あるいは希薄化される。この圧縮および膨張により、熱力学ガスサイクルの一部が形成される。図８はこれを図示するものである。
【００２１】
ＶＳ１は（３６０−４アルファ）度で回転するとき、定位置にあるとされ、これを以降「位置Ｚ」とする。この位置を得ると、ＶＳ１およびＶＳ２は両方とも回転する。図９にはこれを図示する。
【００２２】
ＶＳ１およびＶＳ２がそれぞれ位置Ｙおよび位置Ｘに達すると、ＶＳ１は回転を止め、ＶＳ２は回転を続ける。
【００２３】
図１０にはこれを図示する。
【００２４】
ＶＳ１同様に、ＶＳ２が位置Ｚを得ると、ＶＳ１およびＶＳ２は両方とも、位置Ｘおよび位置Ｙをそれぞれ得るまで回転する。
【００２５】
図１１および図１２にはこれを図示する。
【００２６】
ＶＳ１が回転を開始すると、全体的なサイクルが繰り返される。
【００２７】
羽根をこのような態様で連続的に回転させると、２つの羽根は同時に、２つの羽根のいずれかが３６０度回転するごとに位置Ｘ、位置Ｙ、位置Ｘに交互に位置する。羽根は回転するごとに１回初期位置をとり、これによりインジェクタ、弁／ポートその他などの附属品類が、ライナー上の固定され、画定された点に配置されるのが容易になる。
【００２８】
位置Ｘおよび位置Ｙで羽根の間に捕われた圧縮空気に熱を加える。
【００２９】
Ｖ１とＶ２との間の２つのアルファの包括的な角度は特に重要なものである。というのもこの角度は羽根と羽根との間を常時分離する最小角度であるからである。（すなわち羽根は他の羽根部から２アルファの角度であるとともに２アルファ以上の角度である位置に達することができる。）この分離角度は圧縮率を画定する。この角度を変更することにより圧縮率は変化できる（ここでライナー内部の量およびスリーブの外径は一定に保つ）。
【００３０】
従来の吸込部（取入れ口）、吐出部（排出部）／弁、ポート／燃料インジェクタ、（点火プラグ）をライナー上の適切な点に配置することにより、装置はコンプレッサまたは内燃エンジンまたはモータとして動作する。
【００３１】
前述の羽根部の動き及び連続ロータリー出力部のパターンは以下の構成部品により達成される。
６）シャフト
７）カムおよび関連した連係部
８）滑動摩擦クラッチ
９）ブレーキバンドシャフト
【００３２】
シャフト
シャフトは長さが「Ａ」および径が「Ｂ」であり、ここで「Ａ」＞「L」および「Ｂ」の２倍＜｛「ｄ」−「ｔ」｝である。（ここで「L」、「ｄ」、「ｔ」はスリーブ寸法である。）シャフトはスリーブ内の中空環状空間を通過して端部から突出する。図１３はこれを図示するものである。
【００３３】
カム
２つのカムを各スリーブ上にそれぞれ取り付ける。
【００３４】
カムはスリーブと同心であり、軸歯形はネガ型であるとともに、その端部は中央に４アルファの角度となる。Ｓ１、Ｓ２上に取り付けられたカムをそれぞれＣ１、Ｃ２とする。Ｃ１の軸歯形を２等分する面は羽根部Ｖ１の面と平行である。
【００３５】
同様に、Ｃ２の軸歯形を２等分する面は羽根部ｖ２の面と平行である。図１３ａはこれを図示するものである。
【００３６】
カム従動節、スリーブをシャフトと係合したり解放したりするための結合部を動作するものであり、同時にスリーブを保持したり開放したりするためにブレーキバンドを動作させるものである。
【００３７】
カム動作の説明を行なう。ｖ１が位置Ｘにあるとき、Ｃ１の従動節は軸歯形から出て、シャフトからＳ２を解放するとともに、ブレーキバンドを係合して、Ｓ２を静止状態にする。Ｖ１が位置Ｚに達すると、Ｃ１の従動節はＳ２の軸歯形部開放ブレーキ上にのって、このブレーキをシャフトと係合する。これによりスリーブは双方とも回転する。
【００３８】
Ｖ２のブレーキバンドは静止状態におかれる。この時点では、Ｃ１の従動節は軸歯形中央部にある。すなわち軸歯形部を２等分する線上にある。このプロセスが繰り返されて、前述されるように所望のＶＳ１およびＶＳ２の運動が達成される。
【００３９】
軸歯形角度が角度２アルファ度を画定する、すなわち羽根部を分離する最小角度は、軸歯形の最初と最後がカムの中心部を形成する角度に等しいことがわかる。この軸歯形角度が大きくなると、圧縮率を下げ、反対に軸歯形角度が小さくなると、圧縮率を上げる。カムは軸歯形の角度が徐々に大きくなるように成形され、このようにしてカム従動節を中心軸に沿って移動させ、これにより圧縮率の変動をもたらす。
【００４０】
図１３ｂはカムを図示するものである。
【００４１】
滑動摩擦クラッチ
滑動摩擦クラッチは２つあり、シャフト上のそれぞれの端部に１つずつクラッチが取り付けられる。摩擦クラッチは内径に溝孔を有し、シャフト上の同様のスプライン上に滑動的に嵌合する。図１４は滑動摩擦クラッチの形状および特性を示すものである。スリーブ端部面は円錐状に成形されて、滑動摩擦クラッチの円錐形の面を受ける。すなわち円錐体の角度と等しい。（スリーブとはネガ型で、滑動摩擦クラッチとはポジ型である。）クラッチが結合部により押下されると、スリーブに反してカムにより動作され、スリーブとクラッチ表面との間の摩擦はシャフトおよびスリーブと係合する。
【００４２】
ブレーキバンド
ブレーキバンドまたは従来のラチェット装置の手段による押し込み式締付けの手段を用いてスリーブが静止状態にあるときに固定する。
【００４３】
ブレーキバンドは内面上に摩擦パッドを敷かれた帯であり、スリーブ面に小さい作業空間を有する。ばね力に対するレバーが空間を保持する。
【００４４】
弁
本願で用いられる弁は従来のピストン式ＩＣエンジンで用いられるものと同様である。ライナーのカバープレート端部の円は弁／ポートを図示する。
【００４５】
エンジンパーツは、単一ストロークまたは２ストロークエンジンのいずれにも用いられるように配置されてもよい。
【００４６】
ａ）単一ストローク
ライナー上には２つの弁が、一方は吸込部に、そしてもう一方は排出部に取り付けられており、ベータの角度により角度的に配置されている。排気弁は羽根の背後で位置Ｘにおいて、および羽根の前方で位置Ｙにおいて配置されている。弁は開閉してライナー内部の空間とライナー外部の空間とを連通する。カムおよびカム従動子により動作される結合部がこれらの弁を開く。
【００４７】
ステップ−１）
初期においてはＶ１およびＶ２はそれぞれ位置Ｘおよび位置Ｙにある。これについては図１７を参照されたい。同図はまた、ライナー上に取り付けられた排出弁および吸気弁を示す。吸込部および排気弁は閉位置にある。
【００４８】
Ｖ１が回転すると、Ｖ１の前にあるガスが圧縮される。
【００４９】
ステップ−２）
Ｖ１がシータの角度を位置Ｚにする位置に達すると、排出弁および吸気弁が開く。以降、この羽根の位置を位置Ｚ１とする。角度シータにより、羽根部が吸気弁を過ぎて回転し、回転する羽根部の前方の空間が吸気弁から封止される。これについては図１８を参照されたい。
【００５０】
ステップ−３）
Ｖ１が位置Ｚに達すると、吸込弁および排出弁が閉じられる。
【００５１】
これについては図１９を参照されたい。
【００５２】
ステップ−４）
ここで羽根は両方とも回転し、かつＶ１およびＶ２はそれぞれ位置Ｙおよび位置Ｘに達する。これについては図２０を参照されたい。
【００５３】
この時点において（従来のＩＣエンジンと同様に）圧縮ガスに熱を加える。
インジェクタ／点火プラグは位置Ｘと位置Ｙとの間のライナー上に配置される。
ここでＶ２が回転し、Ｖ２の後方のガスは膨張し、Ｖ２の前方のガスは圧縮される。膨張するガスはＶ２を押し、これがＶ２の動力ストロークとなる。
【００５４】
ステップ−Ｓ）
Ｖ２が位置Ｚ１に達すると、排出弁および吸気弁が開く。Ｖ２上の空間内の排出部は掃気されて新鮮な給気が導入される。これについては図２１を参照されたい。
【００５５】
ステップ−６）
このプロセスは図２２に示されるように、Ｖ２が位置Ｚに達し、排出弁および吸気弁が閉じられるまで行なわれる。
【００５６】
ステップ−７）
Ｖ２、Ｖ１は両方とも回転して、それぞれ位置Ｙ、位置Ｘに達する。
【００５７】
このように初期の位置にあるとき、Ｖ２は静止状態になされる。ここでｖ２の前方の圧縮ガスへの加熱がなされる。これについては図２３を参照されたい。
【００５８】
ここでＶ１の動力ストロークが開始される。
【００５９】
ステップ１からステップ７が連続的に繰り返される。
【００６０】
垂直面に対する弁の位置、羽根の初期位置、角度アルファおよびシータならびにライナー内の空間量は、圧縮されたガスまたは可燃性ガス給気（圧縮および膨張は断熱的なものとする。）が、従来のＩＣエンジンに見られるような自己点火またはスパークにより、自発的点火をもたらすことができるようなものである。
【００６１】
ｂ）２ストローク
弁は２つあり、１つはライナー上の吸込部に、もう１つはライナー上の排出部に、角度ガンマで配置され取り付けられている。
【００６２】
吸気弁は羽根部が外側の位置Ｘにあるとき、羽根部の後ろ側の空間にある。カムおよびカム従動子により動作される結合部が弁を開く。
【００６３】
これらのメカニズムのそれぞれを理解するために、２つの吸込弁および２つの排気弁を図示した。これらの弁はそれぞれＳｕ１、Ｓｕ２、Ｅ１、Ｅ２とする。
【００６４】
ステップ−１）
初期においてＶ１、Ｖ２はそれぞれ位置Ｘ、位置Ｙである。これについては図２４を参照されたい。
【００６５】
ここでＶ１の回転が開始されると同時にＳｕ１が開く。この時点において残る弁は全て閉じている。この回転によりＶ１の背後にもたらされた真空は給気を吸引する。
【００６６】
Ｖ１の前方のガスは圧縮される。
【００６７】
ステップ−２）
Ｖ１が位置Ｚに達すると、ＳＵ１が閉じられる。これについては図２５を参照されたい。
【００６８】
ステップ−３）
ここでＶ１、Ｖ２はそれぞれ回転して位置Ｙおよび位置Ｘに達する。
【００６９】
ここでライナー内部の圧縮ガスが加熱される。（給気の点火）Ｖ１は停止し、Ｖ２は回転する。これは図２６で示されるようにｖ２の動力ストロークである。
【００７０】
ステップ−４）
Ｖ２が回転すると、Ｖ２の前方のガスが圧縮される。Ｖ２は図２７に示されるように位置Ｚに達する。
【００７１】
ステップ−５）
Ｖ２、Ｖ１の両方が回転し、それぞれ位置Ｙおよび位置Ｘに達する。ここでＶ２の前方の圧縮されたガス（給気の点火）に加熱が行なわれる。ここでＥ２は図２８に示されるように開く。
【００７２】
Ｖ１は回転し、Ｖ２は静止状態である。Ｖ１の後方のガスは膨張し、（Ｖ１の動力ストローク）Ｖ１の前方のガスは放出される。（熱拒否が起こる）
【００７３】
ステップ−６）
Ｖ１が位置Ｚに達すると、Ｅ２は閉じる。これについては図２９を参照されたい。
【００７４】
ステップ−７）
Ｖ１、Ｖ２の双方がそれぞれ位置Ｙ、位置Ｘに達する。この時点においてＥ１およびＳｕ２が開く。ここでＶ１が停止し、Ｖ２が回転する。
【００７５】
Ｖ２はここで図３０に示されるように前方のイグゾーストを放出するとともに、後方の給気を吸入する。
【００７６】
ステップ−８）
Ｖ２が位置Ｚに達すると、Ｅ１およびＳｕ２は図３１に示されるように閉じられる。
【００７７】
ステップ−９）
Ｖ１およびＶ２はそれぞれ回転して位置Ｘおよび位置Ｖ、すなわち、初期位置に達する。このようにしてステップ１からステップ９が繰り返される。
【００７８】
ライナー内部の体積、分離される最終角度が変更されると、圧縮率に変化をもたらす。
【００７９】
上述のエンジン弁の両方の型はカムで動作される結合部により開閉される。弁の機能は羽根の位置に依存するものであるため、それぞれの羽根部の独立したカムはそれぞれのスリーブ上に取り付けられ、あるいは別のシャフト上に取り付けられて、それぞれのスリーブにより駆動される。
【００８０】
図３２ａは単一ストローク型エンジンの吸込弁および排気弁を動作するためのカムを示す。図３３は２ストローク型エンジンの吸込弁および排気弁を動作するためのカムを示す。図３２ｂは弁および位置カムを動作するためのカムの概略図を示す。
【００８１】
単一ストロークエンジンのカム
２つのカム、すなわち「Ｃａ１」および「Ｃａ２」はそれぞれＳ１およびＳ２に配置されている。Ｃａ１はＶ１が回転すると、吸込弁および排気弁を開閉するために結合部を始動し、Ｃａ２はＶ２が回転すると、吸込弁および排気弁を開閉するために結合部を始動する。
【００８２】
各カムには２つの軸歯形部が軸方向に配置されているため、全面的に回転している間、軸歯形部により掃引された経路は、もう一方の軸歯形部の掃引により掃引された経路と交差したり、妨害したりすることはない。
【００８３】
軸歯形部によりシータの角度はカムの中央部になる。
【００８４】
カムのカム従動子は、羽根部が位置Ｚ１に達すると、この羽根部が軸歯形部を徐々に越え、これにより弁を始動するように配置される。２つの同様なカムがあり、これらは燃料ポンプを動作する。
【００８５】
２ストロークエンジンのカム
２つのカム、すなわちＣｆ１およびＣｆ２がある。
【００８６】
カムは互いに独立した２つのシャフト上にしっかりと固定される。Ｃｆ１が取り付けられたシャフトはＳにより駆動される。Ｃｆ２が取り付けられたシャフトはＳ２により駆動される。各弁が７２０度回転するごとに１度、スリーブの速度の半分の速度でシャフトが駆動される。２つのカムはそれぞれ２つの軸歯形部を有する。各カムには２つの軸歯形部が軸方向に配置されているため、全面的に回転している間、軸歯形部により掃引された経路は、もう一方の軸歯形部の掃引により掃引された経路と交差したり、妨害したりすることはない。
【００８７】
軸歯形部によりシータの角度はカムの中央部になる。
【００８８】
弁の軸歯形部により（１８０−２アルファ）度の角度はカムの中央部になる。カムの従動節は羽根が垂直（すなわち位置Ｘからアルファの角度）であるように配置されていると、この従動節は軸歯形部の始端から半アルファ度で角度をつけられて配置される。
【００８９】
羽根が動力ストロークを受けて位置Ｖに達したときにはじめて排気弁が開き、羽根部は、軸歯形部が吸気弁のために軸歯形部の端部から（１８０＋アルファ）度にある位置になるまで開いたままである。これについては図３３を参照されたい。
【００９０】
２つの同様なカムは、Ｃｆ１およびＣｆ２を有するシャフト上に配置された燃料ポンプを動作する。
【００９１】
これよりパーツの詳細な説明を行なう。
【００９２】
図３４ないし図５１には、パーツおよびパーツの取付配列および取付部の分解立体図が図示されている。
【００９３】
スリーブ
前述されたスリーブは中空シリンダであるが、その一方の端部にはより大きい径の段差を有する。より大きい径の端部面は４分の１部の環状中空リングを形成するように湾曲されて他の端部面は滑動摩擦クラッチの端部面と同様に円錐状に成形されている。より大きい径湾曲面は２つの凹部を有する。図３４Ａには凹部のないスリーブが示されており、図３５には凹部を有するスリーブが示されている。
【００９４】
羽根部
前述されたように、羽根部は２つあり、各スリーブに１つずつしっかりと固定されて、ライナー内部でスリーブとともに回転する必要がある。前述されたように、羽根部は回転中にライナー内部の体積を掃引する必要がある。
【００９５】
羽根部は「ｈ」より小さい径の環状プレートから構成される。羽根部は帯部に取り付けられており、帯部はライナーで覆われずに残った、スリーブの湾曲した表面部にしっかりと固定されている。溝部を有する２つのピストンは、羽根プレートの対向する側の羽根部に取り付けられている。ピストンリングは従来のＩＣエンジンで用いられているように、溝部に取り付けられている。ピストンリングはライナーの内部表面に対して押下されている。これについては図３６を参照されたい。
【００９６】
ライナー
ライナーは中空環状円環／リング（環状断面の管は曲げられその端部は結合されて、中空環状リングを形成する）の形状である。ライナー中空（管径）の内径は「ｈ」である。
【００９７】
ライナーは取り付けおよび取り外しが容易なようにその外部および内部の半分が分割されている。内部の半分はさらに２つの４分の１部に分割される。外部半体および内部の４分の１部はさらに分割される。
【００９８】
外部および内部の半体は段差を有して、内面がその端部で部分的に重なるようにする。薄い研摩された帯部が境界面に取り付けられて操作中に互いに摩擦しあう。帯部が対面して接触するためライナー内部の空間を外部の空間から封止する。
【００９９】
端部は互いに部分的に重ねあうために段差がつけられる。端部には間隙が設けられて熱膨張を補償する。端部はジグザグになされ、これゆえ（ライナー内面に対して押下している）ピストンリングは羽根部が回転している間、端部を滑らかに通過する。図３７はライナーを示す。
【０１００】
図３８はライナーの一部を示す。
【０１０１】
図３９は分割された端部の一部を示す。
【０１０２】
ライナーの４分の１部のうちの１つはスリーブ上に取り付けられる。ライナーの外部面はスリーブ端部面の湾曲した面と同一平面である。スリーブ上に取り付けられた４分の１部は、羽根が適合する小さい帯部を除き、スリーブの湾曲した全ての面を覆う。ライナーおよび羽根はスリーブの湾曲した面に取り付けられ、凹部はライナーで完全に覆われる。ここで凹部は冷却流体を入れるためのポケットを形成する。ポケットは連通してスリーブ内のラインの孔を供給するとともに復帰させる。
【０１０３】
図４０はスリーブおよびライナーの内部４分の１取付部を示す分解等角図である。
【０１０４】
図４１はスリーブ、羽根およびライナーの内部４分の１取付部を示す分解等角図である。
【０１０５】
図４２は羽根部が定位置に配置された２つのスリーブおよびライナーの内部４分の１取付部を示す分解等角図である。
【０１０６】
図４３はスリーブ、羽根およびライナーの内部４分の１取付部を示す等角図である。
羽根の溝部の動径方向の面と面との間の角変位は、溝部に嵌合されたリングがライナーの内部４分の１に対して押下し同様のスリーブに嵌合し、このスリーブ上には羽根部が嵌合されるが、これはすなわちスリーブ上に嵌合された羽根の溝部と溝部との間の距離であり、スリーブ上のライナー内部４分の１の部分により覆われずに残った帯部の幅より大きい。
【０１０７】
ライナーの外部半体および内部４分の１の部分は分割線に沿ってフランジがつけられる。内部４分の１の部分のフランジはスリーブの対応する表面部にのせられている。ダウエルピンはスリーブ面上で操作中に抜け落ちることがないようにライナー内部４分の１の部分を固定する。ダウエルピンは一方の端部のみに設けられて、他方の端部が操作中に自由に膨張するようになされる。
【０１０８】
ライナーの外部半体は内部半体を越えて配置され、外部半体はケーシングの内部で密閉されている。
【０１０９】
ケーシングはフランジで締結具により保持されている。
【０１１０】
外部半体のフランジはさらに延在してスリーブ上の段差と平行なフランジを設ける。
【０１１１】
フランジはボルトに嵌合されて、滑動リングをスリーブ上の段差に対して押下する。
【０１１２】
このようにして２つのスリーブは互いに押し付けあう。（ローラを滑動リングとスリーブとの境界面に設けて摩擦を減少させてもよい。）
【０１１３】
図４４は、スリーブ、羽根、ライナー内部半体取付部にわたるライナー外部半体および滑動リングを示す分解等角図である。
【０１１４】
図４５は前述の図面の構成部品およびそのケーシングを示す分解等角図である。
【０１１５】
図４６はスリーブ上のカム架装取付部を動作させるカムおよび弁を示す等角図である。
【０１１６】
図４７はスリーブ上に取り付けられ、カム弁がカムを動作し、燃料ポンプがカムを動作する完全な羽根組立体を示す等角図である。
【０１１７】
図４８は、図４７に示された取付部上のライナー外部半体の２つのパーツを有する装置を示す上面図である。
【０１１８】
図４９は前記に図示されたシャフトおよび滑動摩擦クラッチを有する構成部品の配列を示す正面図である。
【０１１９】
図５０はケーシングが定位置に配置された装置を示す等角図である。
【０１２０】
図５１は２ストロークエンジンで見られるようにシャフトを配置した装置を示す側面図である。
【０１２１】
利点
ロータリーＩＣエンジンは多くの利点を有する。
１．カムのカム従動子が滑動することにより、操作中の圧縮率の変更が可能である。
２．慣性力の反転がない。
３．カム軸歯形ｗ．ｒ．ｔのカム従動節を角度的に配置するエンジンを容易に反転することが可能であり、これによりギア装置を省くことができる。
４．シャフトが長いため、シャフト自体の重量がはずみ車として機能できる。
５．エンジンのサイズは、同様の電力出力部を有する従来のエンジンより大幅に小さい
６．大きい潤滑油スランプを保全する必要がない。
７．羽根部がしっかりとスリーブに固定されているので、従来のＩＣエンジン内のライナーのピストンに見られるような羽根部のスラップがない。これによりノイズおよび振動レベルを抑えることができる。
【図面の簡単な説明】
【０１２２】
【図１】スリーブの立面および側面の簡略図を示す。
【図２】ライナーの立面および側面の簡略図を示す。
【図３】羽根部の立面および側面の簡略図を示す。
【図４】羽根およびスリーブ架装取付部を示す簡略図である。
【図５】ライナー、羽根、スリーブ組立体を示す簡略図を示す。ａ）ライナー
【図６】ライナー、羽根、スリーブの直線図を示す簡略図である。
【図７】２つのアルファ角を間に含んだｖ１とｖ２の初期位置を示す簡略図である。
【図８】ｖ１の初期運動の直線図を示す簡略図である。
【図９】ｖ１がｚの位置にある直線図を示す簡略図である。
【図１０】ｖ１がＹの位置、ｖ２がＸの位置にそれぞれある直線図を示す簡略図である。
【図１１】ｖ１およびｖ２が同時にＹの位置、Ｘの位置のそれぞれの位置から移動することを示す簡略図である。
【図１２】ｖ１およびｖ２が同時にＹの位置、Ｘの位置のそれぞれの位置（初期位置）にあることを示す簡略図である。
【図１３】スリーブの中空環状空間内に配置されたシャフトを示す簡略図である。
【図１３ａ】スリーブ上に取り付けられたカムを示す簡略図である。  ａ）ＦＬ１−カムＣ１の従動節であり、  ｂ）ＦＬ２−カムＣ２の従動節である。
【図１３ｂ】典型的な羽根位置調整ＣＡＭを示す直線図である。
【図１４】滑動摩擦クラッチを示す。  ａ）ＳＬはスプラインであり、  ｂ）Ｆｐは摩擦パッドである。
【図１７】単一ストロークＩＣエンジンとして動作する装置の種々のステップを示す。
【図１８】単一ストロークＩＣエンジンとして動作する装置の種々のステップを示す。
【図１９】単一ストロークＩＣエンジンとして動作する装置の種々のステップを示す。
【図２０】単一ストロークＩＣエンジンとして動作する装置の種々のステップを示す。
【図２１】単一ストロークＩＣエンジンとして動作する装置の種々のステップを示す。
【図２２】単一ストロークＩＣエンジンとして動作する装置の種々のステップを示す。
【図２３】単一ストロークＩＣエンジンとして動作する装置の種々のステップを示す。  ａ）ＥｘＶは排気弁であり、  ｂ）ＳｕＶは吸気弁である。
【図２４】２ストロークＩＣエンジンとして動作する装置の種々のステップを示す。
【図２５】２ストロークＩＣエンジンとして動作する装置の種々のステップを示す。
【図２６】２ストロークＩＣエンジンとして動作する装置の種々のステップを示す。
【図２７】２ストロークＩＣエンジンとして動作する装置の種々のステップを示す。
【図２８】２ストロークＩＣエンジンとして動作する装置の種々のステップを示す。
【図２９】２ストロークＩＣエンジンとして動作する装置の種々のステップを示す。
【図３０】２ストロークＩＣエンジンとして動作する装置の種々のステップを示す。
【図３１】２ストロークＩＣエンジンとして動作する装置の種々のステップを示す。  ａ）Ｅ１、Ｅ２は排気弁であり、  ｃ）Ｓｕ１、Ｓｕ２は吸気弁である。
【図３２ａ】カムで動作する単一ストロークＩＣエンジンの吸気弁および排気弁の別の図を示す。  ａ）Ｐｒは軸歯形であり、  ｂ）Ｂｃは基部円である。
【図３２ｂ】スリーブ上に設けられた羽根部の位置調整を行なうための弁およびカムを動作させるためのカムの輪郭図である。
【図３３】２ストロークエンジンの弁を動作させるためのカムの別の図である。  ａ）ＰｒＳは吸気弁の軸歯形であり、  ｂ）ＰｒＥは排気弁の軸歯形である。
【図３４】凹のないスリーブを示す。  ａ）ＣＳＦは曲面である。
【図３５】凹を有するスリーブを示す。  ｂ）ｓｔはスリーブ上のステップであり、  ｃ）Ｆｌｏは冷却流体排出孔であり、  ｄ）Ｒｃｆは滑動摩擦クラッチを受ける円錐台であり、  ｅ）Ｆｌｉは冷却流体吸い込み線であり、  ｆ）ＤＰｒは凹みである。
【図３６】羽根を示す。  ａ）ｓｔｖｓはスリーブ上の嵌合羽根への帯であり、  ｂ）Ｐｉｓはピストン、  ｃ）Ｇｒｐｓは架装取付部ピストンリングの溝部である。
【図３７】ライナーを示す。  ａ）ＳＯＨは外部半体上の裂け部であり、  ｂ）ＰＫＶは弁の受け口であり、  ｃ）ＯＨはｃａｐ１ｔａ１-Ｐ１ｔｅｒｊａ；ｆであり、  ｄ）ＳＩＨは内部半体上の裂け部である。
【図１ａ】
2006515397.tif 000003
【図１ｂ】
2006515397.tif 000004
【図２】
2006515397.tif 000005
【図３】
2006515397.tif 000006
【図４】
2006515397.tif 000007
【図５】
2006515397.tif 000008
【図６】
2006515397.tif 000009
【図７】
2006515397.tif 000010
【図８】
2006515397.tif 000011
【図９】
2006515397.tif 000012
【図１０】
2006515397.tif 000013
【図１１】
2006515397.tif 000014
【図１２】
2006515397.tif 000015
【図１３】
2006515397.tif 000016
【図１３ａ】
2006515397.tif 000017
【図１３ｂ】
2006515397.tif 000018
【図１４】
2006515397.tif 000019
【図１７】
2006515397.tif 000020
【図１８】
2006515397.tif 000021
【図１９】
2006515397.tif 000022
【図２０】
2006515397.tif 000023
【図２１】
2006515397.tif 000024
【図２２】
2006515397.tif 000025
【図２３】
2006515397.tif 000026
【図２４】
2006515397.tif 000027
2006515397.tif 000028
【図２５】
2006515397.tif 000029
【図２６】
2006515397.tif 000030
【図２７】
2006515397.tif 000031
【図２８】
2006515397.tif 000032
【図２９】
2006515397.tif 000033
【図３０】
2006515397.tif 000034
【図３１】
2006515397.tif 000035
【図３２ａ】
2006515397.tif 000036
2006515397.tif 000037
【図３３】
2006515397.tif 000038
【図３４】
2006515397.tif 000039
【図３５】
2006515397.tif 000040
【図３６】
2006515397.tif 000041
【図３７】
2006515397.tif 000042
【図３８】
2006515397.tif 000043
【図３９】
2006515397.tif 000044
【図４０】
2006515397.tif 000045
【図４１】
2006515397.tif 000046
【図４２】
2006515397.tif 000047
【図４３】
2006515397.tif 000048
【図４４】
2006515397.tif 000049
【図４５】
2006515397.tif 000050
【図４７】
2006515397.tif 000051
【図４８】
2006515397.tif 000052
【図４９】
2006515397.tif 000053
【図５０】
2006515397.tif 000054
【図５１】
2006515397.tif 000055
【国際調査報告】
2006515397.tif 000056
2006515397.tif 000057
2006515397.tif 000058